(57)【要約】【課題】ユーザーが、複数の記録装置を持たなくても、同時に放送される複数の番組、いわゆる裏番組も記録することができる放送データ記録システムを提供することである。【解決手段】必要とする放送局のチャンネル数に対応した数の受信サーバー２ａ〜２ｅと、各受信サーバーで受信した放送データの移行先である複数のハードディスク４と、このハードディスクに１対１の関係を保って接続した放送データ再生端末５と、上記受信サーバーを制御する制御サーバー３とを備え、制御サーバーは、各放送データ再生端末から入力された指令情報に基づいて、当該放送データ再生端末に対応するハードディスクへ、目的の放送データを移行するタイミングを制御する機能を備えた。【選択図】  図１
2005005829.tif 000002
【特許請求の範囲】
【請求項１】
必要とする放送局のチャンネル数に対応した数の受信サーバーと、各受信サーバーで受信した放送データの移行先である複数のハードディスクと、このハードディスクに１対１の関係を保って接続した放送データ再生端末と、上記受信サーバーを制御する制御サーバーとを備え、制御サーバーは、各放送データ再生端末から入力された指令情報に基づいて、当該放送データ再生端末に対応するハードディスクへ、目的の放送データを移行するタイミングを制御する機能を備えた放送データ記録システム。
【発明の詳細な説明】
【０００１】
【発明の属する技術分野】
この発明は、テレビやラジオなどの番組を録画、録音するシステムに関する。
【０００２】
【従来の技術】
テレビ番組を録画したり、ラジオ番組を録音したりして、放送後に、それを楽しむことがある。例えば、専用の録画装置を用いれば、特定のテレビ番組を指定して、それをビデオテープやビデオディスクなどに録画することができる。
なお、現行の録画システムは、一般に用いられているものであり、特に、先行技術として文献調査は行っていない。
【０００３】
【発明が解決しようとする課題】
通常、１台の録画装置では、同じ時間帯に放送されている複数の番組を同時に録画することはできない。もしも、複数のチャンネルで同じ時間に放送されている番組を録画したい場合には、録画したい放送の数に対応する台数の録画装置が必要だった。
しかし、いつも、見たい番組が重なるとは限らないので、チャンネル数分の録画装置を用意しておくことは、場所もとるし、無駄である。
この発明の目的は、ユーザーが、複数の記録装置を持たなくても、同時に放送される複数の番組、いわゆる裏番組も記録することができる放送データ記録システムを提供することである。
【０００４】
【課題を解決するための手段】
この発明は、必要とする放送局のチャンネル数に対応した数の受信サーバーと、各受信サーバーで受信した放送データの移行先である複数のハードディスクと、このハードディスクに１対１の関係を保って接続した放送データ再生端末と、上記受信サーバーを制御する制御サーバーとを備え、制御サーバーは、各放送データ再生端末から入力された指令情報に基づいて、当該放送データ再生端末に対応するハードディスクへ、目的の放送データを移行するタイミングを制御する機能を備えた点に特徴を有する。
【０００５】
【発明の実施の形態】
図１〜図４を用いて、この発明の放送データ記録システムを、テレビ放送を録画するシステムに利用した実施例を説明する。
図１は、実施例のシステムの全体構成を示す図である。
このシステムは、テレビ局からの放送データを受信するアンテナ１と、このアンテナ１に接続し、受信すべき放送局に対応させた受信サーバー２ａ，２ｂ，２ｃ，２ｄ，２ｅと、これらの受信サーバー２ａ，２ｂ，２ｃ，２ｄ，２ｅを制御する制御サーバー３とを備えている。ここでは、受信すべき放送局を５局としているので、受信サーバーも５個必要である。ただし、放送局の数は、５に限らない。放送局の数によって、受信サーバーの数が決まる。
【０００６】
各受信サーバー２ａ，２ｂ，２ｃ，２ｄ，２ｅは、それぞれ、異なるチャンネルの放送を専用に受信して、受信した放送データを一時的に記憶する機能を備えている。そして、上記アンテナ１、受信サーバー２ａ，２ｂ，２ｃ，２ｄ，２ｅ、制御サーバー３からなる受信部Ａを、マンションなどの共同住宅の共有スペースに設置している。
さらに、各受信サーバー２ａ，２ｂ，２ｃ，２ｄ，２ｅには、それぞれ複数のハードディスク４を接続し、それぞれのハードディスク４には、１台ずつ再生端末５を接続している。そして、各ハードディスク４と再生端末５とからなる録画再生部Ｂを、個々の居住者の占有スペースに設置している。また、各再生端末５は、上記制御サーバー３にも接続している。上記録画再生部Ｂは、住宅数に対応して設けられているが、録画再生部Ｂの機能は全て同じである。
【０００７】
そして、上記ハードディスク４は、各受信サーバー２ａ，２ｂ，２ｃ，２ｄ，２ｅが、受信した放送データのうち必要なものが移行されたとき、それを記憶する機能を備えている。また、再生端末５は、自身に直接接続されているハードディスク４が記憶している放送データを再生する機能と、録画が必要な番組を、上記制御サーバー３に対して指定する機能とを備えている。具体的には、上記再生端末５は、操作部を備え、テレビなどディスプレイを接続した装置である。
【０００８】
以下に、このシステムを用いて、個人ユーザーが、様々な放送番組を録画する方法を説明する。
まず、ユーザーが、自宅に設置した再生端末５の所定のスイッチを入れると、この再生端末５が、上記制御サーバー３にアクセスし、この再生端末５に接続したディスプレイには、図２に示すようなメイン画面６が表示される。このメイン画面６には、録画番組の再生ボタン７と、番組予約ボタン８と、Ｇコード予約ボタン９と、希望録画番組ボタン１０とが表示されている。なお、上記画面６に表示された各ボタンは、図示しないリモコンによって選択することができる。リモコンの選択ボタンによって、画面上のボタンを選択してから決定ボタンを押すことを、画面上のボタンを押すということにする。
ただし、上記再生端末５に、実際にボタンを設けて、それを操作するようにしてもかまわない。
【０００９】
上記録画番組の再生ボタン７は、後で説明する手順によってハードディスク４に録画された番組を再生する際に押すボタンである。
また、番組予約ボタン８は、録画したい番組を予約する際に押すボタンで、このボタン８を押すと、Ｇコード予約ボタン９と、希望録画番組ボタン１０とが表示された図示していない予約画面が表示されるようにしている。ただし、図２のメイン画面６から直接、Ｇコード予約ボタン９または、希望録画番組ボタン１０を押すこともできる。
【００１０】
上記Ｇコード予約ボタン９を押すと、録画予約する番組をＧコードで予約するためのＧコード予約画面１１（図３）が表示される。このＧコード予約画面１１には、録画したい番組のＧコードを入力するＧコード入力欄１２と決定ボタン１３とが表示される。コード入力欄１２に録画したい番組のＧコードを入力して、決定ボタン１３を押せば、その番組の録画予約の指令情報が、上記制御サーバー３に入力される。
上記Ｇコードは、各番組対応付けたコードで、新聞などの番組表に記載されているが、このＧコードの変わりに、このシステム特有のコードを決めてそれを利用するようにしても良い。どちらにしても、番組とコードとが対応した番組表を、ユーザーに予め配布するか、ディスプレイ上で、見ることができるようにしておく必要がある。
【００１１】
一方、図２のメイン画面６で、希望録画番組ボタン１０を押すと、図４に示す希望録画番組指定画面１４が表示される。この画面１４には、録画を希望する番組を、放送日時と、チャンネルによって指定するために、月日入力欄１５と、時間帯入力欄１６と、チャンネル入力欄１７とが表示される。さらに、録画モード入力欄１８と、決定ボタン１９とが表示されている。ユーザーは、上記各入力欄１５〜１８に、必要事項を入力して、決定ボタン１９を押すと、その番組が制御サーバー３に予約される。
【００１２】
この発明のシステムでは、複数の番組を予約する場合、放送時間帯が重複する複数の番組を指定することができるようにしているので、上記のようにして、録画予約をする際には、各番組の放送時間帯を気にしないで、録画したい番組を選ぶことができる。
なお、上記図３、図４に示した画面において、符号２０は、戻るボタンで、このもどるボタン２０を押すことによって、その画面の前に表示されていた前画面に戻るようにしている。
【００１３】
番組の予約方法は、上記の方法に限られない。例えば、一週間分の各チャンネルの番組表をディスプレイ表示させ、その番組表上で、録画したい番組を選択するようにすることもできるし、連続ドラマなどの場合には、図４に示す番組指定画面で録画希日を入力する月日入力欄１５の代わりに、録画開始日と曜日とを入力する欄を設け、毎週同じ時間帯の番組を予約できるようにすることも考えられる。
【００１４】
また、録画を希望する番組を、ジャンルで選択する方法も考えられる。例えば、スポーツとか、音楽とか、映画、というように、ジャンルで選択して、そのジャンルに入る番組は全て録画するようにすることもできる。このような、ジャンル別予約ができるようにした場合には、ジャンル別に色分けされた番組表を提示するようにすれば、ユーザーが、予約すべきジャンルを決めやすい。
【００１５】
上記のような手順によって、各再生端末５から、番組予約の指令情報が、制御サーバー３に入力されると、制御サーバー３は、指令情報を入力した再生端末５に対応するハードディスク４のＩＤに、上記予約の指令情報を対応付けて記憶する。
つまり、どのハードディスク４に、どの番組を移行させるべきかということを記憶しておく。
【００１６】
一方、受信サーバー２ａ，２ｂ，２ｃ，２ｄ，２ｅは、それぞれ、特定チャンネルの番組の放送データを、全て受信して一時的に記憶する。
そこで、上記制御サーバー３は、番組予約の指令情報として記憶している番組のうち、実際に放送された番組の放送データを、その番組を受信している受信サーバーから、対応するハードディスク４へ順次移行させる。
【００１７】
複数のユーザーが、同一の番組を予約することもあるので、その場合には、該当する全てのユーザーのハードディスク４に、同じ放送データを移行するようにする。例えば、受信サーバー２ａが受信した放送データＸの番組を複数のユーザーが予約していた場合には、上記放送データＸを、複数のハードディスク４に順番に移行させ、予約した全てのハードディスク４に放送データＸを移行したら、受信サーバー２ａから、放送データＸを消去するようにしている。
また、録画予約の際に、番組の特定を放送時間帯ではない番組特有のデータで行うようにすれば、例えば、野球中継などの延長で、放送開始時刻が遅れてしまったような番組も、その番組を特定して、その番組を受信した特定の受信サーバーからハードディスクへ移行させることができる。
【００１８】
同様に、全ての放送データについて、予約の指令情報に対応したハードディスク４に、放送データを移行させる。この際、各受信サーバー２ａ，２ｂ，２ｃ，２ｄ，２ｅから、ハードディスク４へ、移行させる放送データは、実際に放送された順には関係なく移行される。例えば、受信サーバー２ａが受信した放送データＸと、それより後に放送され、受信サーバー２ｂが受信した放送データＹとの両方を予約しているユーザーがあった場合、そのユーザーのハードディスク４に、放送データＸよりも放送データＹを先に移行させてもかまわない。
【００１９】
１つのハードディスク４に対して、同時に複数の放送データを移行させることはできない。そこで、上記制御サーバー３は、予約の指令情報に応じて、移行すべき放送データが重ならないように、しかも、全ての放送データができるだけ速やかに移行できるように、移行タイミングを制御する。
例えば、１人のユーザー、すなわち１つの再生端末５から、放送時間帯が重複する複数チャンネルの番組の予約が設定されていた場合、制御サーバー３は、予約された複数の番組の放送データを、他のハードディスク４へのデータの移行タイミングと調整して、ひとつひとつ順に移行させる。従って、１つのハードディスク４に、同じ時間帯に放送された複数の番組の放送データが、時間をずらして移行されることになる。
【００２０】
ハードディスク４側では、上記制御サーバー３の制御によって、各受信サーバー２ａ，２ｂ，２ｃ，２ｄ，２ｅから移行された放送データを記憶する。
そして、ハードディスク４に記憶された放送データは、上記再生端末５を用いて、再生することができる。具体的には、図２に示すメイン画面６で、録画番組の再生ボタン７を押せば、ハードディスク４に記憶されている番組を示す図示しない録画リストが表示され、その中から、再生したい番組をい選択して再生することができる。この再生作業は、通常のビデオ録画の再生と同様にしてできる。
【００２１】
上記のように、この発明のシステムでは、各受信サーバー２ａ，２ｂ，２ｃ，２ｄ，２ｅが、専用のチャンネルの番組だけを全て受信して一時記憶しておくようにしたので、全ての受信サーバー２ａ，２ｂ，２ｃ，２ｄ，２ｅ全体で見れば、放送されている全ての番組を、受信できることになる。
そして、各ハードディスク４には、実際の放送時間とは関係なく、各受信サーバー２ａ，２ｂ，２ｃ，２ｄ，２ｅから、順番に、録画したい放送データが移行されるようにしているので、１つのハードディスク４が、放送時間帯が重複する複数の番組の放送データを記憶することができる。
【００２２】
従って、各ハードディスク４に接続した再生端末５とで構成される録画再生部Ｂが１つでも、いわゆる裏番組までも、録画再生することができるようになる。
なお、上記実施例では、テレビ放送の番組を録画する例を説明したが、この発明の記録システムは、ラジオ放送の録音にも利用できる。
【００２３】
【発明の効果】
この発明によれば、個々のユーザーが、複数の記録装置を持たなくても、同時に放送される複数の番組、いわゆる裏番組も記録することができるようになる。つまり、放送時間帯に係わらず必要な番組は全て、記録して、後から見たり聞いたりすることができる。
また、録画番組を、放送時間帯で特定するのではなく、番組名など番組特有のデータで行うようにすれば、予約を行った時点の放送予定から、放送時間がずれてしまったような場合にも、その番組を記録することができる。
【図面の簡単な説明】
【図１】この発明の実施例のシステムの全体構成を示した図である。
【図２】実施例の再生端末側のディスプレイに表示されるメイン画面を表した図である。
【図３】実施例のＧコードによる番組予約画面を示した図である。
【図４】実施例の、放送時間帯による番組予約画面を示した図である。
【符号の説明】
１          アンテナ
２ａ〜２ｅ  受信サーバー
３          制御サーバー
４          ハードディスク
５          再生端末
【図１】
2005005829.tif 000003
【図２】
2005005829.tif 000004
【図３】
2005005829.tif 000005
【図４】
2005005829.tif 000006